(57)【要約】【課題】ＡＣプラグ収納時にＡＣプラグホルダーとケースの嵌合ガタによるＡＣプラグのガタを新規部品の追加無く防ぐ構造を持った充電器を提供することを目的とする。【解決手段】前記充電器において、前記ＡＣプラグホルダーは前記ＡＣプラグが前記ＡＣプラグ収納部に収納された状態で前記ＡＣプラグの回転軸と凸凹構造によって嵌合させることで前記ＡＣプラグ回転時にクリック感を与える構造を備えており、なおかつ前記充電器収納状態にて、前記ＡＣプラグの回転軸が前記ＡＣプラグホルダーと嵌合された状態で前記ケース内側に設けられたリブに前記ＡＣプラグの樹脂部を意図的に接触させることにより、前記ＡＣプラグに回転軸を中心とした前記ＡＣプラグ収納部方向への回転モーメントによるプリテンションを掛けた充電器。【選択図】図４
2012209180.tif 000002
【特許請求の範囲】
【請求項１】
交流電源に接続するための回転式のＡＣプラグと、前記ＡＣプラグを保持するＡＣプラグホルダーと、充電基板と、前記ＡＣプラグおよび前記充電基板を保持し電池装着機能を兼ね備えたケースとから成り立っており、前記ＡＣプラグホルダーは前記ＡＣプラグが前記ＡＣプラグ収納部に収納された状態で前記ＡＣプラグの回転軸と凸凹構造によって嵌合させることで前記ＡＣプラグ回転時にクリック感を与える構造を備えており、なおかつ前記充電器収納状態にて、前記ＡＣプラグの回転軸が前記ＡＣプラグホルダーと嵌合された状態で前記ケース内側に設けられたリブに前記ＡＣプラグの樹脂部を意図的に接触させることにより、前記ＡＣプラグに回転軸を中心とした前記ＡＣプラグ収納部方向への回転モーメントによるプリテンションを掛けることで、前記ＡＣプラグのガタをなくすことを特徴とする充電器。
【請求項２】
前記充電器使用時には、前記ＡＣプラグが垂直な状態にて起こされた際に前記ＡＣプラグホルダーとの凹凸構造により位置固定することを特徴とする請求項１記載の充電器。
【発明の詳細な説明】
【技術分野】
【０００１】
本発明は交流電源に接続するためのＡＣプラグを有し、前記交流電源を直流電源に変換してバッテリーに充電を行う充電器の構造に関するものである。
【背景技術】
【０００２】
従来の充電器にはＡＣプラグをケース内で軸支することにより、このＡＣプラグから突出する一対の栓刃がケース内に収納された状態とケースから突出した状態との間で回転可能となるようにしたものがある。この従来の充電器を図５に示す。
【０００３】
図５においてＡＣプラグ２が下ケース１と上ケース５により軸支され、またＡＣプラグ２が回転する際にクリック感を与えるＡＣプラグホルダー３によって保持されている。このＡＣプラグホルダー３の周囲部品の仕上がり及び組立等のバラツキによりＡＣプラグ２にガタつきが発生するのを抑えるために、ＡＣプラグホルダー３にテンションを掛け続ける新たな部品としてコイルばね１０を用いていた。
【先行技術文献】
【特許文献】
【０００４】
【特許文献１】特開２００９−３７７８０号公報
【発明の概要】
【発明が解決しようとする課題】
【０００５】
しかしながら、前記従来の充電器では、ＡＣプラグホルダー３にテンションを掛け続ける新たな部品としてコイルばね１０を用いているため、部品追加によるコストアップを余儀なくされる課題を有していた。
【課題を解決するための手段】
【０００６】
前記従来の課題を解決するために、本発明の充電器は交流電源に接続するための回転式のＡＣプラグと、前記ＡＣプラグを保持するＡＣプラグホルダーと、充電基板と、前記ＡＣプラグおよび前記充電基板を保持し電池装着機能を兼ね備えたケースとから成り立っており、前記ＡＣプラグホルダーは前記ＡＣプラグが前記ＡＣプラグ収納部に収納された状態で前記ＡＣプラグの回転軸と凸凹構造によって嵌合させることで前記ＡＣプラグ回転時にクリック感を与える構造を備えており、なおかつ前記充電器収納状態にて、前記ＡＣプラグの回転軸が前記ＡＣプラグホルダーと嵌合された状態で前記ケース内側に設けられたリブに前記ＡＣプラグの樹脂部を意図的に接触させることにより、前記ＡＣプラグに回転軸を中心とした前記ＡＣプラグ収納部方向への回転モーメントによるプリテンションを掛けることで、前記ＡＣプラグのガタをなくすというものである。
【発明の効果】
【０００７】
本発明によると、上ケース内側形状に解決手段を盛り込むことでＡＣプラグのガタつきを抑えることができるため、部品点数を増やすことなく現状のコストのままで、また外形の形状を変更することもなくガタつき防止の効果を得ることができる。
【図面の簡単な説明】
【０００８】
【図１】本発明の実施の形態１に示す充電器の分解斜視図
【図２】本発明の実施の形態１に示す充電器の背面図
【図３】本発明の実施の形態１に示す充電器の断面図
【図４】本発明の実施の形態１に示す充電器の断面図の詳細図
【図５】従来の充電器の構成を示す分解斜視図
【発明を実施するための形態】
【０００９】
以下本発明を実施するための最良の形態について図面を参照しながら説明する。
【００１０】
（実施の形態１）
図１は本発明の実施の形態における充電器の構成を示す分解斜視図である。この充電器は樹脂製の上ケース５と下ケース１を上下から重ね合わせた方形箱型のケース内に充電基板４と回転式のＡＣプラグ２、及びＡＣプラグ２を保持しさらにＡＣプラグ２を回転させた際に、一時的に回転負荷を受けるような感覚のクリック感を与える機構を持つＡＣプラグホルダー３から成り立っている。なお充電基板４のプリント配線と実装部品は図示を省略している。
【００１１】
図２は本発明の実施の形態における充電器の底面図である。ＡＣプラグ２は下ケース１の収納部分に格納されている。
【００１２】
２箇所の切り口Ａを結ぶ線で断面を見たものが図３である。従って、図３は図２のＡ−Ａ断面図である。
【００１３】
充電基板４とＡＣプラグ２及びＡＣプラグホルダー３がそれぞれ上ケース５と下ケース１に嵌合された状態で固定されている。
【００１４】
図４は図３の拡大図である。同図を用いて本実施の形態におけるＡＣプラグ２のガタツキ防止機能を詳細に説明する。
【００１５】
ＡＣプラグ回転軸７はＡＣプラグホルダー３の軸受部８ａおよび軸受部８ｂに支持された状態で上ケース５及び下ケース１に嵌合されて収納されているが、組立のばらつきによって、ＡＣプラグホルダ−３にストレスを加えないように、若干のクリアランスが設けられている。
【００１６】
ＡＣプラグ回転軸７とＡＣプラグホルダー３の軸受部８ａおよび軸受部８ｂは凸凹のカム形状になっており、ＡＣプラグ２を収納状態から起こすとき、および起こした状態から収納する際に、一時的に回転負荷を受けるような感覚のクリック感を与える構造を備えている。
【００１７】
また上ケース５において外面からは見えない内側にリブ６が備わっており、これは上ケース５の成形部の一部となっている。ＡＣプラグ２が収納された際にＡＣプラグ２の樹脂部９とリブ６が接触することにより、ＡＣプラグ２を支持しているＡＣプラグホルダー３にＡＣプラグ回転軸７を中心とした回転モーメントａが発生する。
【００１８】
ただしＡＣプラグホルダ−３は下ケース１と上ケース５によって嵌合されているためクリアランス以上の範囲では回転することができない。よってＡＣプラグホルダー３が下ケース１および上ケース５に固定された状態でＡＣプラグ２には収納方向に回転モーメントｂが加わることとなる。
【００１９】
これによりＡＣプラグ２には常に収納方向に回転モーメントｂとしてプリテンションが加わり続けることによりＡＣプラグ２を固定し、ガタツキを防止するという特有の効果を有する。
【産業上の利用可能性】
【００２０】
本発明にかかる充電器は、ＡＣプラグ収納時にＡＣプラグホルダーとケースとの嵌合ガタによるＡＣプラグのガタツキをなくすことができるので、ＡＣプラグを備える充電器の構造として有用である。
【符号の説明】
【００２１】
１    下ケース
２    ＡＣプラグ
３    ＡＣプラグホルダー
４    充電基板
５    上ケース
６    リブ
７    ＡＣプラグ回転軸
８ａ  軸受部
８ｂ  軸受部
９    樹脂部
１０  コイルばね
Ａ    切り口
ａ    回転モーメント
ｂ    収納方向に回転モーメント
【図１】
2012209180.tif 000003
【図２】
2012209180.tif 000004
【図３】
2012209180.tif 000005
【図４】
2012209180.tif 000006
【図５】
2012209180.tif 000007